(57)【要約】【課題】  ホームネットワークシステムにおいて、操作端末を操作する場合に、操作端末の操作と、被操作機器の動作開始とのあいだのタイムラグが操作者に違和感を与えないように構成する。【解決手段】  操作端末を持ち運び自在な移動式内部操作端末４に構成する一方、該移動式内部操作端末４に機器直接操作部４ａを設けて、該移動式内部操作端末４を対象となる被操作機器２に近付けて操作した場合では、直接動作指令信号を被操作機器２に出力する構成とし、被操作機器２を迅速に動作させる構成とする。【選択図】        図２
2005278068.tif 000002
【特許請求の範囲】
【請求項１】
建物に取り付けまたは設置される複数の被操作機器と、これら被操作機器を操作するための操作端末と、被操作機器と操作端末とが接続されるネットワークと、該ネットワークに接続される管理サーバとを備え、操作端末で任意の被操作機器の操作をすることで管理サーバに操作信号を出力し、該操作信号を受けた管理サーバが、対応する動作指令信号を前記任意の被操作機器に出力して動作させるように構成したホームネットワークシステムにおいて、前記操作端末を持ち運び自在に構成するとともに、操作端末に、該操作端末の操作に基づいて被操作機器に直接動作指令信号を出力する機器直接操作部が設けられているホームネットワークシステム。
【請求項２】
請求項１において、被操作機器として、経時的な動作をする経時動作機器を用い、管理サーバからの経時動作機器への動作指令信号を経時的な連続信号とする一方、経時動作機器に通信異常検知部を設けて、経時動作機器の動作中に動作指令信号が断状態となることに伴い、経時動作機器の動作を停止するように構成したホームネットワークシステム。
【請求項３】
請求項２において、経時動作機器は、建物の開口部を開閉するシャッターカーテンを備えたシャッターであるホームネットワークシステム。
【請求項４】
請求項１、２または３において、操作端末に操作機器を登録するにあたり、操作端末には、操作端末の送信出力および／または受信感度を低下させる登録モード切換え部が設けられているホームネットワークシステム。
【発明の詳細な説明】
【技術分野】
【０００１】
本発明は、建物用電動シヤッター等の被操作機器と、該被操作機器を操作する操作端末とをネットワークを介して接続したホームネットワークシステムの技術分野に属するものである。
【背景技術】
【０００２】
近年、建物に取り付けまたは設置される家電などの被操作機器を、ネットワークを介して接続するホームネットワークシステム（ネット家電）に関する種々の提案がなされている。
【０００３】
このようなネットワークシステムのなかには、建物に取り付けまたは設置される複数の被操作機器と、これら被操作機器を操作するための操作端末と、被操作機器と操作端末とが接続されるネットワークと、該ネットワークに接続される管理サーバとを備え、操作端末で任意の被操作機器の操作をすることで管理サーバに操作信号を出力し、該操作信号を受けた管理サーバが、対応する動作指令信号を前記任意の被操作機器に出力して動作させるように構成したものが提唱されている。
【特許文献１】特開平４−７９６９９号公報
【発明の開示】
【発明が解決しようとする課題】
【０００４】
ところが、前記従来のものにおいて、操作端末を操作することにより出力される操作信号は、一旦、ネットワークに接続されるホーム管理サーバに入力され、該管理サーバから対応する被操作機器に対して出力するように構成されている。一方、利便性の観点から、操作端末を持ち運び自在に構成することが提唱されるが、このような操作端末を用いて被操作機器を操作する場合に、操作者が対象となる被操作機器の近くにいて操作した場合でも、操作端末の操作信号は管理サーバに入力され、被操作機器は、管理サーバからの動作指令信号により動作を開始することになる。このため、操作端末からの操作信号が一旦ホーム管理サーバに入力される分、被操作機器の動作が遅くなってしまい、操作端末の操作から被操作機器が動作開始するまでのあいだのタイムラグが大きく操作者に違和感を与え、操作者が繰返し内部端末を操作してしまったり、故障であると誤認識してしまう等の問題があり、ここに本発明の解決すべき課題がある。
【課題を解決するための手段】
【０００５】
本発明は、上記の如き実情に鑑みこれらの課題を解決することを目的として創作されたものであって、請求項１の発明は、建物に取り付けまたは設置される複数の被操作機器と、これら被操作機器を操作するための操作端末と、被操作機器と操作端末とが接続されるネットワークと、該ネットワークに接続される管理サーバとを備え、操作端末で任意の被操作機器の操作をすることで管理サーバに操作信号を出力し、該操作信号を受けた管理サーバが、対応する動作指令信号を前記任意の被操作機器に出力して動作させるように構成したホームネットワークシステムにおいて、前記操作端末を持ち運び自在に構成するとともに、操作端末に、該操作端末の操作に基づいて被操作機器に直接動作指令信号を出力する機器直接操作部が設けられているである。
そして、このようにすることにより、操作端末を被操作機器に近付けて操作したときには、迅速に被操作機器を動作させることができる。
請求項２の発明は、請求項１において、被操作機器として、経時的な動作をする経時動作機器を用い、管理サーバからの経時動作機器への動作指令信号を経時的な連続信号とする一方、経時動作機器に通信異常検知部を設けて、経時動作機器の動作中に動作指令信号が断状態となることに伴い、経時動作機器の動作を停止するように構成したものであり、このようにすることにより、通信異常時に動作停止をすることができる。
請求項３の発明は、請求項２において、経時動作機器は、建物の開口部を開閉するシャッターカーテンを備えたシャッターであるものであり、このようにすることにより、シャッター動作に不具合を生じないようにすることができる。
請求項４の発明は、請求項１、２または３において、操作端末に操作機器を登録するにあたり、操作端末には、操作端末の送信出力および／または受信感度を低下させる登録モード切換え部が設けられているものであり、このようにすることにより、被操作機器の登録を正確、かつ、確実におこなうことができて、不正アクセスを防止できる。
【発明の効果】
【０００６】
請求項１の発明とすることにより、操作端末を被操作機器に近付けて操作したときには、迅速に被操作機器を動作させて、操作者に違和感を与えないようにできる。
請求項２の発明とすることにより、通信異常時に動作停止をすることができる。
請求項３の発明とすることにより、シャッター動作に不具合を生じないようにできる。
請求項４の発明とすることにより、被操作機器の登録を正確、かつ、確実におこなうことができて、不正アクセスを防止できる。
【発明を実施するための最良の形態】
【０００７】
つぎに、本発明の実施の形態について説明する。
図１において、１はホームネットワークシステムであって、該ホームネットワークシステム１は、建物に取り付けまたは設置される複数の被操作機器２と、これらの被操作機器２を操作する建物に設置型の固定式内部操作端末３および持ち運び自在の（移動型の）移動式内部操作端末４と、建物内に設置され、前記固定式、移動式の両内部操作端末３、４と被操作機器２とを接続する内部ネットワーク５と、該内部ネットワーク５を外部ネットワーク６に接続するゲートウェイ７と、外部ネットワーク６に接続される外部管理サーバ８と、外部ネットワーク６に接続され、屋外に持ち運び自在な複数の外部操作端末９とを備えて構成されている。そして、内部ネットワーク５には、ホーム管理サーバ１０が接続され、該ホーム管理サーバ１０を介して被操作機器２の操作が行えるように構成されている。
ここで、前記ホーム管理サーバ１０は、単独で屋内に設置できるが、本実施の形態では、ゲートウェイ７および固定式内部操作端末３とともに一体に組み込まれている。
【０００８】
被操作機器２は、建物に取り付けまたは設置される家電機器、住宅機器、防犯機器等であり、本実施の形態では、被操作機器２として、建物の開口部を開閉する三つの第一、第二、第三の建物用電動シャッター２１Ａ〜２１Ｃ（以下、単に第一、第二、第三シャッターと称するものであり、本発明の経時的な動作をする経時動作機器に相当する）と、玄関ドアを施錠する電気錠２２と、室内または室外を照らす照明器具２３と、ラジオ音声を出力するラジオ２４とを備えて構成されている。そして、これらの被操作機器２には、内部ネットワーク５の通信企画に適合するホームネットワーク用インタフェースＩＦ（以下、単にインタフェースと称する）を介して内部ネットワーク５に接続されている。
【０００９】
前記第一シヤッター２１Ａは屋外に建て付けられたガレージ用シャッターに構成され、第二、第三シャッター２１Ｂ、２１Ｃは窓に取り付けられる窓シャッターに構成されている。これらシャッター２１Ａ〜２１Ｃは、それぞれ窓を開閉するシャッターカーテン２１ａと、その左右両側部を昇降ガイドするガイドレール２１ｂと、シャッターカーテン２１ａを巻き取って収納するシヤッターケース２１ｃと、シャッターカーテン２１ｃを昇降動作させる電動モータ等で構成される開閉機２１ｄと、該開閉機２１ｄを駆動制御する制御盤２１ｅとを備えて構成されている。そして、制御盤２１ｅは、後述するように、各操作端末３、４、９の操作に基づく動作指令信号が、内部ネットワーク５および／またはインタフェースＩＦを介して入力されたとき、その指令内容に応じてシャッター２１Ａ〜２１Ｃの開放動作、閉鎖動作、そして、停止動作を行うように設定されている。さらに、制御盤２１ｅは、シャッター２１Ａ〜２１Ｃの動作が完了（全開、全閉、停止）した場合に、インタフェースＩＦおよび内部ネットワーク５を介し、ホーム管理サーバ１０に対して対応する動作完了信号（全開信号、全閉信号、停止信号）を出力するように設定されている。尚、本実施の形態では、第一シャッター２１Ａは、専用の遠隔操作具（リモコン）が用意されており、該リモコンによる操作もできるように構成されている。そして、遠隔操作具によりシャッターカーテン２１ａが操作された場合でも、制御盤２１ｅは、シャッターカーテン１の動作の完了（全開、全閉、停止）時に、インタフェースＩＦおよび内部ネットワーク５を介してホーム管理サーバ１０に対して動作完了信号を出力するように設定されている。
【００１０】
また、これら第一〜第三シャッター２１Ａ〜２１Ｃは、シャッターカーテン２１ａの手動開放（抉じ開け）を検出する手動開放検知部を備えている。前記手動開放検知部は、例えばシャッターカーテン２１ａが全閉したときＯＮ作動する磁気式近接スイッチを用いて構成されており、全閉したシャッターカーテン２１ａが不審者によって手動開放されると、磁気式近接スイッチのＯＦＦ作動に基づいて手動開放が検出され、手動開放検知信号を、インタフェースＩＦおよび内部ネットワーク５を介してホーム管理サーバ１０に出力するように設定されている。
【００１１】
また、本実施の形態では、シャッターカーテン２１ａの下端部に、障害物を検知する障害物検知装置２１ｆを設けるとともに、シヤッターケース２１ｃの下面部に、障害物検知装置２１ｆからの障害物検知信号（例えば赤外線信号）を受信する受信部２１ｇが設けられている。そして、受信部２１ｇが障害物検知信号を受信したとき、制御盤２１ｅはシヤッター動作（シャッターカーテン２１ａの開閉動作）を緊急停止させるように設定されている。
【００１２】
電気錠２２は、玄関ドアの近傍に配置される電気錠操作部２２ａが内部ネットワーク５と接続されており、該電気錠操作部２２ａの操作に基づいて施錠−解錠動作される構成となっている。電気錠操作部２２ａは、各操作端末３、４、９の操作に基づいて動作指令信号が内部ネットワーク５および／またはインタフェースＩＦを介して入力されることにより、その指令内容に応じて電気錠２２の施錠動作または解錠動作を行うように設定されている。また、電気錠２２の動作が完了すると、インタフェース１Ｆおよび内部ネットワーク５を介してホーム管理サーバ１０に対して動作完了信号を出力するように設定されている。
【００１３】
照明器具２３およびラジオ２４は、インタフェースＩＦを介して内部ネットワーク５に接続されている。そして、内部ネットワーク５および／またはインタフェースＩＦを介して動作指令信号が入力されると、その指令内容に応じて照明器具２３やラジオ２４をＯＮ動作またはＯＦＦ動作するように設定されるが、本実施の形態では、前記シヤッター２１Ａ〜２１Ｃの手動開放検知時に連動させる被操作機器２として、照明器具２３およびラジオを２４を利用することができ、このため、照明器具２３およびラジオ２４は、そのＯＮ動作によって不審者を威嚇し得る場所に配置されている。
【００１４】
内部ネットワーク５は、所定の通信規格に準拠した無線、有線の何れの方式によっても構成することができ、所定の通信プロトコルを用いることにより機器間の通信が可能になっている。尚、本実施の形態では無線方式が用いられている。
【００１５】
ゲートウェイ７は、一般電話回線網、携帯電話通信網、ＣＡＴＶ等の通信回線を介して、内部ネットワーク５を外部ネットワーク６に接続するモデム等で構成されている。
【００１６】
ゲートウェイ７、固定式内部操作端末３と共に一体に組み込まれるホーム管理サーバ１０は、ＣＰＵ、メモリ、ハードディスク、ネットワーク接続モジュール等を供えて構成され、ホームネットワーク全体の制御装置として働くものである。また、本実施の形態のホーム管理サーバ１０は、固定式、移動式内部操作端末３にウェブページを提供するとともに、このウェブページを介して、操作信号、設定信号、状態信号等を送受信するローカルウェブサーバ機能を備えて構成されている。これによって、ブラウザ機能を備える汎用の端末を、固定式、移動式内部操作端末３、４として用いることができるようにしている。
【００１７】
固定式内部操作端末３は、ＣＰＵ、メモリ、表示部、入力部、ネットワーク接続モジュール等を備えるＰＤＡ、パソコン、専用コントローラ等の端末で構成されている。本実施の形態の固定式内部操作端末３は、ブラウザを起動するとともに、ブラウザからホーム管理サーバ１０にアクセスすることにより、表示部に内部操作用画面が表示され、この画面上において操作することで被操作機器２の操作や状態確認ができるように構成されている。
【００１８】
移動式内部操作端末４は、前記ＣＰＵ、メモリ、表示部、入力部、ネットワーク接続モジュール等を備えるＰＤＡ、パソコン、専用コントローラ等の端末で構成され、固定式内部操作端末３と略同様の機能を備えて構成されているが、移動式内部操作端末４は、ハンディタイプに形成されて持ち運び自在に構成されている。そして、本実施の形態の移動式内部操作端末４は、ブラウザを起動するとともに、ブラウザからホーム管理サーバ１０にアクセスすることにより、表示部に内部操作用画面が表示され、この画面上において被操作機器２の操作や状態確認ができるように構成されている。
【００１９】
外部ネットワーク６は、インターネット等のグローバルネットワークであり、前記ホームゲートウェイ７、外部管理サーバ８および外部操作端末９が接続されている。これらの機器には、固有のグローバルＩＰアドレスが割り当てられ、このアドレスを元に相手を特定してウェブページなどの通信が行われる。また、電子メール機能を備える外部操作端末９は、固有の電子メールアドレスを有し、このアドレスを元に相手を特定して電子メールの送受信が行えるように設定されている。
【００２０】
外部管理サーバ８は、ＣＰＵ、メモリ、ハードディスク、ネットワーク接続モジュール等を備えて構成され、ホームネットワークシステム１の外部操作管理、防犯管理、運転履歴管理、情報配信管理等を行うように設定されている。外部操作管理は、外部管理サーバ８のウェブサーバ機能を用いて行われるもので、外部操作端末９にウェブページを提供するとともに、このウェブページを介して操作信号、設定信号、状態信号等の送受信が行われる構成となっている。これによって、ブラウザ機能を備える汎用の端末を外部操作端末９として用いることができるようになっている。
【００２１】
外部操作端末９は、ＣＰＵ、メモリ、表示部、入力部、ネットワーク接続モジュール等を備える携帯電話機等であり、ウェブページを表示するブラウザ機能と、電子メールを送受信する電子メール機能を備えて構成されている。つまり、外部操作端末９でブラウザを起動するとともに、ブラウザから外部管理サーバ８にアクセスすることにより、外部操作端末９の表示部に外部操作用画面が表示され、この画面上で各被操作機器２の外部操作（遠隔操作）や状態確認ができるように設定されている。また、外部管理サーバ８から外部操作端末９に送信される動作完了通知等の通知は電子メール形式であり、これが外部操作端末９の電子メール機能によって受信できるように構成されている。電子メールは、外部操作端末９に直接送信されることなく、一旦外部ネットワーク６上のメールサーバに蓄えられるが、通常、携帯電話会社は、メールサーバに電子メールが着信すると、それをプッシュ方式で外部操作端末９（携帯電話機）に通知するので、大きな時間差なく電子メールを受信できるようになっている。
【００２２】
つぎに、ホーム管理サーバの機能構成について説明する。
図２に示すように、ホーム管理サーバ１０は、機能的な構成としてウェブサーバ部１０ａ、被操作機器動作部１０ｂ、動作完了通知部１０ｃ、機器異常通知部１０ｄ、防犯異常通知部１０ｅ、機器連動部１０ｆ、状態記憶部１０ｇ、機器異常通知部１０ｈ、運転履歴記憶部１０ｉ、情報配信部１０ｊ等を備えて構成されている。
【００２３】
ウェブサーバ部１０ａは、ホーム管理サーバ１０にウェブサーバプログラム、ＨＴＭＬファイル、ＣＧＩ等を導入して構成され、前述したように、ウェブページを介して固定式、移動式内部操作端末３、４と様々な信号のやり取りを行うように設定されている。被操作機器動作部１０ｂは、固定式、移動式内部操作端末３、４または外部管理サーバ８から操作信号を入力（受信）したとき、それに応じて被操作機器２に対して動作指令信号を出力（送信）するように構成されている。動作完了通知部１０ｃは、被操作機器２から動作完了信号を入力したとき、外部管理サーバ８に対して動作完了通知を出力するように構成されている。
【００２４】
機器異常通知部１０ｄは、被操作機器２から機器異常信号を入力したとき、または、操作から所定の設定時間が経過しても、被操作機器２から動作完了信号を入力しないとき、被操作機器２が異常であると判断して、外部管理サーバ８に機器異常通知を出力するように構成されている。例えば、シャッター２１Ａ〜２１Ｃは、機器異常信号として障害物検知信号や故障信号を出力するように設定され、これがホーム管理サーバ１０を介して外部管理サーバ８に通知されるように構成されている。尚、本実施の形態では、ホーム管理サーバ１０で被操作機器２の異常を判断し、これを外部管理サーバ８に通知するが、外部管理サーバ８で被操作機器２の異常判断を行う構成とすることも可能である。
【００２５】
防犯異常通知部１０ｅは、シヤッター２１Ａ〜２１Ｃから手動開放検知信号を入力したとき、外部管理サーバ８に防犯異常通知を出力するように構成されている。機器連動部１０ｆは、シャッター２１Ａ〜１Ｃから手動開放検知信号を入力したとき、予め設定される被操作機器２を動作（連動）させるように構成されている。
【００２６】
状態記憶部１０ｇは、各被操作機器２の現在の動作状態、機器異常、防犯異常等の状態を記憶するように構成され、これら状態情報は、ウェブサーバ部１０ａのウェブページに動的に反映されるように設定されている。設定記憶部１０ｈは、ウェブページ上で設定された各種の設定データを記憶するように構成されている。運転履歴記憶部１０ｉは、各被操作機器２の運転状況を時系列的に記憶するように構成されている。情報配信部１０ｊは、外部管理サーバ８からメンテナンス情報、広告情報、地域情報等が配信されたとき、これをウェブページを介して固定式内部操作端末３の画面に表示させるように構成されている。
【００２７】
続いて、外部管理サーバの機能構成について説明する。
外部管理サーバ８は、図２に示すように、機能的な構成としてウェブサーバ部８ａ、被操作機器動作部８ｂ、動作完了通知部８ｃ、機器異常通知部８ｄ、防犯異常通知部８ｅ、状態記憶部８ｆ、設定記憶部８ｇ、運転履歴記憶部８ｈ、運転履歴通知部８ｉ、情報配信部８ｊ等を備える。
【００２８】
ウェブサーバ部８ａは、外部管理サーバ８にウェブサーバプログラム、ＨＴＭＬファイル、ＣＧＩ等を導入して構成され、前述したように、ウェブページを介して外部操作端末９と様々なやり取りを行うように構成されている。被操作機器動作部８ｂは、外部操作端末８から操作信号を受信したとき、それに応じてホーム管理サーバ１０に動作指令信号を送信するように構成されている。動作完了通知部８ｃは、ホーム管理サーバ１０から動作完了通知を受信したとき、操作が行われた外部操作端末９に対して電子メール形式の動作完了通知を送信するように構成されている。
【００２９】
機器異常通知部８ｄは、ホーム管理サーバ１０から機器異常通知を受信したとき、操作が行われた外部操作端末９、または予め設定された外部操作端末９に対して電子メール形式の機器異常通知を送信するように構成されている。防犯異常通知部８ｅは、ホーム管理サーバ１０から防犯異常通知を受信したとき、予め設定された外部操作端末９に対して電子メール形式の動作完了通知を送信するように構成されている。
【００３０】
状態記憶部８ｆは、ホーム管理サーバ１０の状態記憶部１０ｇと記憶内容を同期するように構成され、その記憶内容は、ウェブサーバ部８ａのウェブページに動的に反映される。設定記憶部８ｇおよび運転履歴記憶部８ｈも、ホーム管理サーバ１０の設定記憶部１０ｈおよび運転履歴記憶部１０ｉと記憶内容を同期するように構成されている。運転履歴通知部８ｉは、予め設定される遠隔操作端末９に対して予め設定された通知時間に運転履歴またはそれに基づく通知を電子メール形式で送信するように構成されている。情報配信部８ｊは、配信用のメンテナンス情報、広告情報、地域情報等が登録されると、これらの情報を対応するホーム管理サーバ１０に送信するように構成されている。
【００３１】
つぎに、ホームネットワークシステム１における固定式、移動式内部操作端末３、４を用いた内部操作時の動作について説明する。
ここで、本実施の形態のホームネットワークシステム１では、ホーム管理サーバ１０と固定式、移動式内部操作端末３、４とのあいだ、そして、ホーム管理サーバ１０と被操作機器２とのあいだにおける信号のやり取りが無線信号によりなされる構成となっている。このため、ホーム管理サーバ１０が組み込まれる固定式内部操作端末３は、全ての被操作機器２に対して通信圏内（通信可能）となる建物内部位に位置して設置されている。さらに、固定式、移動式内部操作端末３、４は、ブラウザを起動した状態で全ての被操作機器２が通信圏内にあるか否かをブラウザ画面上に表示できるように構成されている。
また、移動式内部操作端末４には、機器直接操作部４ａが備えられており、ブラウザを起動してホーム管理サーバ１０にアクセスし、移動式内部操作端末４の画面表示を用いて任意の被操作機器２を操作したとき、ホーム管理サーバ１０に対して操作信号を出力する一方で、対応する被操作機器２に対して動作指令信号を直接出力するように構成されている。
【００３２】
前記内部操作時の一例をつぎに示すが、内部操作時では、前記固定式、移動式の両内部操作端末３、４の何れの端末からでも操作することができる。
まず、固定式内部操作端末３を操作した場合であるが、固定式内部操作端末３のブラウザを起動してホーム管理サーバ１０にアクセスすることにより、ブラウザ画面上に、図３に示すように、シャッター２１Ａ〜２１Ｃ、電気錠２２等の被操作機器２を一括して表示した画面が呼び出される。そして、該画面上において操作したい任意の被操作機器２を選択することにより、該任意の被操作機器２を個別に操作できるように構成されている（図４参照）。
例えば、第三シャッター２１Ｃを選択した場合、第三シャッターＣの個別画面を呼び出し、該画面上の操作スイッチ（開放、閉鎖、停止）の何れかを操作することにより、対応する操作信号がホーム管理サーバ１０に出力され、該ホーム管理サーバ１０では、入力された操作信号に対応する動作指令信号を、内部ネットワーク５、インタフェースＩＦを介して第三シャッター２１Ｃに対して出力するように設定されている。
そして、第三シヤッター２１Ｃの制御盤２１ｅでは、インタフェースＩＦを介して入力される動作指令信号の指令に基づいて第三シャッター２１Ｃを動作させるように設定されている。
【００３３】
一方、移動式内部操作端末４を操作した場合は、固定式内部操作端末４のブラウザを起動してホーム管理サーバ１０にアクセスし、前記固定式操作端末３と同様に操作することで、ブラウザ画面上に、シャッター２１Ａ〜２１Ｃ、電気錠２２等の被操作機器２を一括して表示した画面が呼び出される。そして、該画面上において操作したい任意の被操作機器２を選択することにより、該任意の被操作機器２を個別に操作できるが、このものでは、前述したように、機器直接操作部４ａが備えられている。このため、例えば、第三シャッター２１Ｃを選択して第一シャッターＣの個別画面上の操作スイッチ（開放、閉鎖、停止）を操作した場合では、操作信号をホーム管理サーバ１０に出力するとともに、直接第三シャッター２１Ｃに対して前記操作信号に対応する動作指令信号を出力するように設定されている。これによって、移動式内部操作端末４を第三シャッター２１Ｃに近付いた状態で操作したような場合では、第三シャッター制御部２１ｅに対し、ホーム管理サーバ１０から内部ネットワーク５、インタフェースＩＦを介して入力される動作指令信号よりも、機器直接操作部４ａからインタフェースＩＦを介して直接入力される動作指令信号の方が先行して入力され、この場合では、制御部２１ｅは、先行して入力された動作指令信号に対応してシャッターカーテン２１ａを動作させるように設定されている。
これによって、移動式内部操作端末４を用いて操作したときは、操作対称となる被操作機器２の近傍で操作することにより、被操作機器２を迅速に動作させることができ、もって、操作者の操作と被操作機器２の動作開始とのタイムラグが短縮され、操作者に違和感を与えることがないように構成されている。
【００３４】
このように、シャッター制御盤２１ｅに動作指令信号が入力された場合に、これが例えば開放指令信号であった場合、制御盤２１ｅはシャッターカーテン２１ａを開放動作させるとともに、その全開を待ち、シャッターカーテン２１ａが全開すると、制御盤２１ｅが第一シャッター２１Ｃの動作を停止させるとともに、インタフェースＩＦおよび内部ネットワーク５を介してホーム管理サーバ１０に全開信号を出力するように設定されている。そして、ホーム管理サーバ１０は、第三シャッター２１Ｃから全開信号を入力すると、状態記憶部１０ｇや運転履歴記憶部１０ｉの記憶内容を更新し、さらには、操作した端末である固定式または移動式内部操作端末３または４のブラウザ画面上に動作完了確認のための表示を行うように構成されている。
【００３５】
尚、ホーム管理サーバ１０は、被操作機器２に動作指令信号を出力した後、被操作機器２から機器異常信号を入力した場合、例えば、第一〜第三シャッター２１Ａ〜２１Ｃに開放動作指令信号の出力後、所定の設定時間が経過しても第一〜第三シャッター２１Ａ〜２１Ｃから全開信号（動作完了信号）を入力しないような場合に、第一〜第三シャッター２１Ａ〜２１Ｃが異常であると判断し、状態記憶部１０ｇや運転履歴記憶部１０ｉの記憶内容を更新するとともに、操作された固定式または移動式操作端末３または４の画面表示を更新し、ブラウザ画面で機器異常の発生を確認できるように構成されている。
【００３６】
続いて、外部操作端末９の操作に基づく外部操作時の被操作機器２の動作について説明するが、外部操作端末９のブラウザ画面上で、例えば第一〜第三シャッター２１Ａ〜２１Ｃの開放操作をおこなうと、その操作信号は、外部管理サーバ８に送信するように設定されている。そして、外部管理サーバ８は、外部操作端末９からシャッター開放操作信号を受信すると、ゲートウェイ７および内部管理サーバ１０を介して対応する第一〜第三シャッター２１Ａ〜２１Ｃに開放動作指令信号を出力し、その動作指令信号がインタフェースＩＦを介して第一〜第三シャッター２１Ａ〜２１Ｃの制御盤２１ｅに入力するように設定されている。そして、制御盤２１ｅは、第一〜第三シャッター２１Ａ〜２１Ｃを開放作動させるとともに、その全開を待ち、第一〜第三シャッター２１Ａ〜２１Ｃが全開すると、開放動作を停止させるとともに、インタフェースＩＦを介してホーム管理サーバ１０に全開信号を出力するように構成されている。一方、ホーム管理サーバ１０は、制御盤２１ｅから全開信号を入力すると、状態記憶部１０ｇや運転履歴記憶部１０ｉの記憶内容を更新するとともに、ゲートウェイ７を介して外部管理サーバ８に全開信号を送信し、外部管理サーバ８は、状態記憶部８ｆや運転履歴記憶部８ｈの記憶内容を更新するとともに、動作完了通知を電子メールで外部操作端末９に送信し、これを受けて外部操作端末９は、ブラウザ画面上に動作完了確認画面を表示するように構成されている。
【００３７】
一方、被操作機器２に動作指令信号を出力した後、被操作機器２から機器異常信号を入力した場合、例えば、第一〜第三シャッター２１Ａ〜２１Ｃに開放動作指令信号の出力後、所定の設定時間が経過しても第一〜第三シャッター２１Ａ〜２１Ｃから全開信号（動作完了信号）を入力しないような場合に、第一〜第三シャッター２１Ａ〜２１Ｃが異常であると判断し、状態記憶部１０ｇや運転履歴記憶部１０ｉの記憶内容を更新するとともに、ゲートウェイ７を介して外部管理サーバ８に機器異常信号を送信するように構成されている。そして、外部管理サーバ８は、ホーム管理サーバ１０から機器異常信号を受信すると、状態記憶部８ｆや運転履歴記憶部８ｈの記憶内容を更新するとともに、機器異常通知を電子メールで外部操作端末９に送信し、これを受けて外部操作端末９は、ブラウザ画面上に機器異常画面を表示するように構成されている。
【００３８】
また、ホームネットワークシステム１において、ホーム管理サーバ１０から被操作機器２に対して動作指令信号が出力される場合、該信号が断状態となることが想定され、特に本実施の形態のように、動作指令信号を無線信号として出力する場合では、該信号が強電界ノイズ等により断状態になることが想定される。この場合に、第一〜第三シャッター２１Ａ〜２１Ｃのように動作時間が長く、自己保持した状態で動作するものでは、動作中に、ホーム管理サーバ１０を介しての動作指令信号を出力しても、該動作指令信号が被操作機器２に入力されないことがあり、特に動作停止しようとしても停止できないようなことが生じる惧れがある。
そこで、本実施の形態のホームネットワークシステム１では、ホーム管理サーバ１０から出力される動作指令信号を連続信号とする一方、シャッター制御部２１ｅに通信異常検知部が設けられており、シャッターカーテン２１ａが開放、閉鎖動作中に動作指令信号の入力が断たれた場合では、シャッターカーテン２１ａの動作を中止するように設定されている。
【００３９】
つまり、通信異常検知手段シャッター制御部２１ｅにおける制御手順を示す図５のフローチャート図に基づいて説明すると、シャッター制御部２１ｅでは、動作指令信号が停止、開放、閉鎖の何れであるかを判断し、開放または閉鎖指令信号である場合は、停止指令信号、障害物検知信号の入力がなく、開放または閉鎖指令信号が入力し続けている場合に、シャッターカーテン２１ａが全開または全閉になるまで開放または閉鎖駆動をするように設定されている。そして、障害物検知信号の入力があった場合では緊急停止制御、停止指令信号の入力があった場合、そして開放または閉鎖指令信号の入力がなくなった場合に駆動停止して、停止信号をホーム管理サーバ１０に出力するように設定されている。これによって、操作者は、シャッターカーテン２１ａが動作途中でシャッターカーテン２１ａが動作停止したことをブラウザ画面上において確認でき、再度シャッターカーテン２１ａの操作が必要であることがわかるようになっている。この場合に、通信異常検知部は、開放または閉鎖指令信号が中断したことを検知したときに、動作停止をするとともに通信異常検知信号をホーム管理サーバ１０に出力する構成とし、ホーム管理サーバ１０は、通信異常検知信号の入力に伴い、状態記憶部１０ｇに記憶し、このような情報をウェブサーバ部１０ａのウェブページに動的に反映させることもできる。
【００４０】
また、本実施の形態では、ネットワークの通信媒体を無線信号にしているため、被操作機器２を予め固定式、移動式内部操作端末３、４に登録する作業が必要となる。このように、無線信号を介して登録作業を行う場合に、各内部操作端末３、４の送信出力が大きく、かつ、受信感度が高い場合では、対象ではない操作機器までをも登録してしまう惧れがあるうえ、これとは逆に、操作機器を不正に登録されてしまう惧れもあって問題がある。そこで、本実施の形態では、各内部操作端末３、４には、それぞれ登録モード切換え部が設けられており、各内部操作端末３、４のブラウザ画面を登録画面に切り換えることにより（図６参照）、各内部操作端末３、４の送信出力の低下（例えば通常の５０パーセントの出力）あるいは受信感度の低下（例えば通常の５０パーセントの感度）の何れか一方を実行することができるように設定されている。これによって、登録作業を正確かつ確実におこなうことができるうえ、他のネットワークからの不正アクセスの防止も図れるように構成されている。
尚、登録モード切換え部３ａ、４ｂは、各内部操作端末３、４の送信出力の低下と受信感度の低下（例えば通常の５０パーセントの感度）との両者を共に実行する構成とすることも可能である。
【００４１】
叙述の如く構成された本実施の形態のホームネットワークシステム１において、固定式、移動式の各内部操作端末３、４の操作では、ホーム管理サーバ１０に操作信号を出力し、該操作信号を受けたホーム管理サーバ１０が、対応する被操作機器２に動作指令信号を出力して動作させるが、この場合に、前記移動式内部操作端末４には機器直接操作部４ａが設けられていて、該移動式内部操作端末４を操作することにより、ホーム管理サーバ１０に操作信号を出力するとともに、対応する被操作機器２に対して直接動作指令信号が出力される。このため、移動式内部操作端末４を、操作したい被操作機器２に近付いて操作した場合では、ホーム管理サーバ１０を介して出力される動作指令信号よりも移動式内部操作端末４から直接送信された動作指令信号の方が先行して被操作機器２に入力されることになって、迅速に動作させることができる。この結果、操作者は、対象となる被操作機器２に近付いて移動式内部操作端末４を操作したとき、該移動式内部操作端末４の操作と、被操作機器２の動作開始とのあいだに生じるタイムラグが小さくなる分違和感を感じることがなく、無駄に操作を繰り返したりするような不具合がなく、電池寿命を長くすることができる。さらには、操作したにも拘わらずすぐに動作しないことを故障と見なすような誤認識を防止することができる。
【００４２】
さらにこのものでは、建物に建付けられるシャッター２１Ａ〜２１Ｃのように経時的な動作をする被操作機器２を操作する場合では、シャッター制御盤２１ｅに通信異常検知部が設けられていて、経時的な連続信号となっている動作指令信号が断状態となることで、シャッターカーテン２１ａの動作停止をするようになっているので、ホーム管理サーバ１０とシャッター制御部２１ｅとのあいだで通信異常があったような場合に、動作停止ができなくなるような不具合をなくすことができる。
【００４３】
さらには、このものでは、固定式、移動式内部操作端末３、４に被操作機器２を登録する場合に、各内部操作端末３、４には登録モード切換え部が設けられているので、登録時に各内部操作端末３、４の送信出力を低下あるいは受信感度を低下させることができて、登録作業をより確実かつ正確に実行することができ、不正アクセスの防止を図れる。
【００４４】
尚、本発明は前記実施の形態に限定されないことは勿論であって、操作端末は、前記実施の形態では、操作に基づいて操作信号と動作指令信号との両者を出力するように構成されているが、複数の操作端末が設けられている場合では、持ち運び自在の操作端末についてはｋ、動作指令信号のみを出力するように構成することもでき、この場合では、管理サーバに集中する制御信号が減少することから処理能力を低下させることができるので、コスト低減を図れるという利点がある。
【図面の簡単な説明】
【００４５】
【図１】ホームネットワークシステムの全体構成を示すブロック図である。
【図２】ホーム管理サーバおよび外部管理サーバの機構構成を説明するブロック図である。
【図３】内部操作用端末の画面を示す説明図である。
【図４】内部操作用端末の画面を示す説明図である。
【図５】シャッター制御部における制御手順を説明するフローチャート図である。
【図６】内部操作用端末の画面を示す説明図である。
【符号の説明】
【００４６】
１    ホームネットワークシステム
２    被操作機器
３    固定式内部操作端末
４    移動式内部操作端末
５    内部ネットワーク
６    外部ネットワーク
８    外部管理サーバ
９    外部操作端末
１０    ホーム管理サーバ
２１Ａ〜２１Ｃ    第一〜第三シャッター
２２    電気錠
２３    照明器具
２４    ラジオ
【図１】
2005278068.tif 000003
【図２】
2005278068.tif 000004
【図３】
2005278068.tif 000005
【図４】
2005278068.tif 000006
【図５】
2005278068.tif 000007
【図６】
2005278068.tif 000008